(57)【要約】【課題】ロータの逆回転時に発生する振動に起因する諸問題を解決することができると共に、スプール往復動装置の耐久性、並びにロータ逆回転時におけるフリー性に優れた魚釣用スピニングリールを提供する。【解決手段】ハンドル軸５の回転操作に応じて回転しスプール４に釣糸を案内する釣糸案内部３ｄを有するロータ３と、先端にスプール４が取り付けられたスプール軸１２と、ハンドル軸５の回転操作運動をスプール軸１２の前後往復動に変換するスプール往復動装置１３と、を備え、釣糸をスプール４から引き出すロータ３の回転時にスプール軸１２が前後往復動しないようにスプール往復動装置１３における動力伝達経路を制御可能としたことを特徴とする。【選択図】図１
2007135408.tif 000002
【特許請求の範囲】
【請求項１】
ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、釣糸をスプールから引き出す前記ロータの回転時に前記スプール軸が前後往復動しないように前記スプール往復動機構における動力伝達経路を制御可能としたことを特徴とする魚釣用スピニングリール。
【請求項２】
釣糸をスプールから引き出す前記ロータの回転時に前記スプール往復動機構における動力伝達経路を切断することを特徴とする請求項１に記載の魚釣用スピニングリール。
【請求項３】
前記スプール往復動機構は、ハンドル軸の回転操作に応じて回転しその周面に螺旋溝が形成されたウォームシャフトと、前記スプール軸の一端に固定され前記螺旋溝に係合する係合ピンを備える摺動子と、前記ハンドル軸の回転を前記ウォームシャフトに伝達するギヤと、を備え、前記ギヤを前記ウォームシャフトに対して係脱可能としたことを特徴とする請求項２に記載の魚釣用スピニングリール。
【請求項４】
前記ギヤを斜歯歯車で構成し、ハンドル軸の回転操作又は釣糸の引き出しに応じて噛合時に生じるスラスト力により前記ギヤと前記ウォームシャフトとの係脱を制御することを特徴とする請求項３に記載の魚釣用スピニングリール。
【請求項５】
前記スプール往復動機構は、ハンドル軸の回転操作に応じて回転する駆動ギヤと、前記駆動ギヤにて駆動される連動ギヤと、前記連動ギヤと対向配置され係合突起を備えた制御体と、前記スプール軸の一端に固定され前記係合突起が係合する係合溝が形成された摺動子と、を備え、前記連動ギヤを前記制御体に対して係脱可能としたことを特徴とする請求項２に記載の魚釣用スピニングリール。
【請求項６】
前記連動ギヤを斜歯歯車で構成し、ハンドル軸の回転操作又は釣糸の引き出しに応じて噛合時に生じるスラスト力により前記連動ギヤと前記制御体との係脱を制御することを特徴とする請求項５に記載の魚釣用スピニングリール。
【発明の詳細な説明】
【技術分野】
【０００１】
本発明は、魚釣用スピニングリールに関し、特に、ハンドルの回転操作運動を、スプールの前後往復動に変換するスプール往復動装置をリール本体内に設けた魚釣用スピニングリールに関する。
【背景技術】
【０００２】
一般に、魚釣用スピニングリールは、ハンドルの回転操作で釣糸案内部を有するロータを回転させると共に、ハンドルの回転運動をリール本体内部に設けたスプール往復動装置により前後動方向に変換することで前後往復動するスプールに、ロータの釣糸案内部を介して釣糸が巻回される構成を有している。
【０００３】
従来、このような魚釣用スピニングリールにおいて、リール本体に上方に向けて牽引可能に取り付けられた操作レバーの牽引操作や、リール本体の後部に設けた操作具の回転操作により、魚のヒットに伴う釣糸の繰り出しによって逆回転するロータに制動力を付与するロータ制動装置を備え、ロータの逆回転をフリーに行わせる一方、操作者の回転操作等により魚とのやり取りを可能とするものが知られている（例えば、特許文献１及び特許文献２参照）。
【特許文献１】実公平１−２０８５８号公報
【特許文献２】実公平１−３９１９４号公報
【発明の開示】
【発明が解決しようとする課題】
【０００４】
しかしながら、このような魚釣用スピニングリールにおいては、ロータの逆回転に連動してスプールが高速で前後往復動することとなる。このため、この前後往復動に応じて発生する振動が、操作者に不快感を与えると共に、釣糸を介して魚に違和感を与えて魚を暴れさせ、魚を取り逃がしたり釣糸を切断したりする原因となり、また、リール本体のネジ締結部に伝わってネジの緩みの原因となるという問題がある。
【０００５】
また、ロータの逆回転に連動してスプールが高速で前後往復動するので、スプール往復動装置における変換係合部（例えば、ウォームシャフトとピン係合部や、係合突起と係合溝）の磨耗や、前後往復動の方向転換時の抵抗発生によるロータ逆回転時のフリー性の劣化を引き起こす原因となるという問題がある。
【０００６】
本発明は、上記した問題に鑑みて為されたものであり、ロータの逆回転時に発生する振動に起因する諸問題を解決することができると共に、スプール往復動装置の耐久性、並びにロータ逆回転時におけるフリー性に優れた魚釣用スピニングリールを提供することを目的とする。
【課題を解決するための手段】
【０００７】
上記した目的を達成するために、本発明に係る魚釣用スピニングリールは、ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、釣糸をスプールから引き出す前記ロータの回転時に前記スプール軸が前後往復動しないように前記スプール往復動機構における動力伝達経路を制御可能としたことを特徴とする。
【０００８】
上記した構成の魚釣用スピニングリールによれば、釣糸をスプールから引き出すロータの回転時にスプール軸が前後往復動しないようにスプール往復動機構における動力伝達経路を制御可能としたことから、スプールの前後往復動に応じて発生していた振動を防止することができるので、振動に伴う操作者における不快感を除去すると共に、魚へ与える影響を低減することを通じて釣果を向上させることが可能となる。
【０００９】
また、釣糸をスプールから引き出すロータの回転時にスプール軸の前後往復動が防止されることから、スプール往復動機構の前後往復動に変換する部材の磨耗を回避することができるので、スプール往復動装置の耐久性に優れたリールを提供することができる。また、スプールの前後往復動の方向転換時の抵抗発生によりロータの逆回転時におけるフリー性が劣化する事態を回避することができるので、ロータ逆回転時におけるフリー性に優れたリールを提供することができる。
【００１０】
上述の魚釣用スピニングリールにおいては、例えば、釣糸をスプールから引き出すロータの回転時にスプール往復動機構における動力伝達経路を切断することが考えられる。このように釣糸をスプールから引き出すロータの回転時にスプール往復動機構における動力伝達経路を切断することで、上述の効果を得ることが可能である。
【００１１】
スプール往復動機構における動力伝達経路の切断には、例えば、スプール往復動機構に、ハンドル軸の回転操作に応じて回転しその周面に螺旋溝が形成されたウォームシャフトと、スプール軸の一端に固定され螺旋溝に係合する係合ピンを備える摺動子と、ハンドル軸の回転をウォームシャフトに伝達するギヤと、を設け、上記ギヤをウォームシャフトに対して係脱可能とすることが考えられる。この場合には、ギヤがウォームシャフトに対して係脱可能とされるので、確実にスプール往復動機構における動力伝達経路を切断することが可能となる。
【００１２】
特に、ギヤを斜歯歯車で構成し、ハンドル軸の回転操作又は釣糸の引き出しに応じて噛合時に生じるスラスト力により当該ギヤとウォームシャフトとの係脱を制御することが好ましい。この場合には、ギヤとウォームシャフトとの係脱を制御するための部材を用意することなく、簡単な構成でこれらの係脱を制御することが可能となる。
【００１３】
また、釣糸をスプールから引き出すロータ逆回転時にギヤに当接して当該ギヤをウォームシャフトから退避させる係脱切替部材を具備するようにしても良い。この場合には、スプール往復動機構における動力伝達経路を平歯車で構成することが可能となるため、これらの係脱を制御するための斜歯歯車等を用いることなく、これらの係脱を制御することが可能となる。
【００１４】
一方、スプール往復動機構における動力伝達経路の切断には、例えば、ハンドル軸の回転操作に応じて回転する駆動ギヤと、前記駆動ギヤにて駆動される連動ギヤと、前記連動ギヤと対向配置され係合突起を備えた制御体と、前記スプール軸の一端に固定され前記係合突起が係合する係合溝が形成された摺動子と、を備え、前記連動ギヤを前記制御体に対して係脱可能にしても良い。この場合においても、連動ギヤが制御体に対して係脱可能とされるので、確実にスプール往復動機構における動力伝達経路を切断することが可能となる。
【００１５】
特に、連動ギヤを斜歯歯車で構成し、ハンドル軸の回転操作又は釣糸の引き出しに応じて噛合時に生じるスラスト力により連動ギヤと制御体との係脱を制御することが好ましい。この場合には、連動ギヤと制御体との係脱を制御するための部材を用意することなく、簡単な構成でこれらの係脱を制御することが可能となる。
【００１６】
また、釣糸をスプールから引き出すロータ逆回転時に連動ギヤに当接して当該連動ギヤを制御体から退避させる係脱切替部材を具備するようにしても良い。この場合には、スプール往復動機構における動力伝達経路を平歯車で構成することが可能となるため、これらの係脱を制御するための斜歯歯車等を用いることなく、これらの係脱を制御することが可能となる。
【００１７】
さらに、上述の構成に加えて、釣糸をスプールから引き出すロータの回転に制動力を付与するロータ制動機構を備える場合には、ロータの逆回転時に発生していた振動が除去されるので、ロータ制動機構に対する操作に集中することが可能となり、魚とのやり取りをより一層楽しみながら魚釣りを行うことが可能となる。
【発明の効果】
【００１８】
本発明によれば、ロータの逆回転時に発生する振動に起因する諸問題を解決することができると共に、スプール往復動装置の耐久性、並びにロータ逆回転時におけるフリー性に優れた魚釣用スピニングリールが得られるようになる。
【発明を実施するための最良の形態】
【００１９】
以下、図面を参照しながら本発明の実施形態について説明する。
【００２０】
図１は、本発明の第１の実施形態に係る魚釣用スピニングリールの全体的な構成を示している。なお、以下においては、適宜、図１に示す左方側を装置の前方側と呼び、図１に示す右方側を装置の後方側と呼ぶものとする。
【００２１】
図１に示すように、本発明に係る魚釣用スピニングリールのリール本体１には、釣竿に装着されるリール脚２が一体形成されており、その前方には回転可能に支持されたロータ３と、ロータ３の回転運動と同期して前後動可能に支持されたスプール４が配設されている。
【００２２】
ロータ３は、スプール４の周囲を回転する一対の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部３ｄに取り付けられている。
【００２３】
リール本体１内には、ハンドル軸５が回転可能に支持されており、その突出端部には、ハンドル６が取り付けられている。また、ハンドル軸５には、巻取り駆動機構が係合しており、この巻取り駆動機構は、ハンドル軸５に一体回転可能に装着された駆動ギヤ（フェースギヤ）７と、この駆動ギヤ７に噛合すると共にハンドル軸５と直交する方向に延出し、内部に軸方向に延出する空洞部が形成されたピニオン８とを備えている。なお、これらの駆動ギヤ７及びピニオン８は、それぞれ斜歯歯車で構成されている。
【００２４】
ピニオン８は、一対の前後に配置した軸受け９を介してリール本体１内に回転可能に支持されている。また、スプール４側に向けて延出しており、その先端部において、ロータ３が取り付けられている。ピニオン８には、その中間部分に一方向クラッチ１０が取り付けられており、リール本体１の外部に設けられたレバー１１を回動操作することで一方向クラッチ１０を作動させ、ハンドル６（ロータ３）の釣糸繰出し方向の逆回転を防止する公知の逆転防止装置を構成するようになっている。
【００２５】
ピニオン８の内部に形成された空洞部には、ハンドル軸５と直交する方向に延出し、先端側にスプール４を装着したスプール軸（メインシャフト）１２が軸方向に移動可能に挿通されている。また、ピニオン８には、スプール４（スプール軸１２）を前後往復動させるためのスプール往復動装置１３が係合している。
【００２６】
スプール往復動装置１３は、リール本体１内に回転可能に支持され、スプール軸１２と平行に延出するウォームシャフト１４と、スプール軸１２の基端部に抜け止め固定された摺動子１５と、ウォームシャフト１４の端部に係脱可能に取り付けられ、ピニオン８と噛合するギヤ１６とを備えている。なお、ギヤ１６は、斜歯歯車で構成されている。また、ギヤ１６は、ピニオン８の回転方向に応じて噛合時に生じる斜歯歯車のはすじねじれ角度で作用するスラスト力によりウォームシャフト１４の軸方向に移動し、ウォームシャフト１４から係脱するように構成されている。
【００２７】
摺動子１５は、スプール軸１２に対して、ビス等によって回り止め固定される本体１５ａを備えており、この本体１５ａにはウォームシャフト１４の外周面に形成された螺旋溝１４ａと係合する係合ピン１５ｂが保持されている。ウォームシャフト１４が回転駆動されると、摺動子１５は、係合ピン１５ｂを介して前後方向に往復駆動される。
【００２８】
このような構成を有する魚釣用スピニングリールにおいて、ハンドル６により巻取り操作を行うと、ロータ３が巻取り駆動機構を介して回転駆動される共に、スプール４がスプール往復動装置１３を介して前後往復動されるので、釣糸は、釣糸案内部３ｄを介してスプール４の巻回胴部４ａに均等に巻回されるようになっている。
【００２９】
次に、上記したスプール往復動装置１３のギヤ１６周辺の構成及び作用について説明する。図２は、スプール往復動装置１３のギヤ１６周辺の拡大図であり、図３は、ギヤ１６とウォームシャフト１４との係合部を説明するための断面図である。また、図４及び図５は、ギヤ１６とウォームシャフト１４との係脱状態を説明するための図である。なお、以下の説明では、図２の左方側からみた状態で時計回り方向の回転を正転と呼び、反時計回り方向の回転を逆転と呼ぶものとする。また、図２においては、ピニオン８とギヤ１６との噛合部分のみを示している。
【００３０】
図２に示すように、ウォームシャフト１４の同図に示す左方側端部は、軸受け２１を介してリール本体１に回転可能に支持されている。また、ウォームシャフト１４には、軸受け２１の近傍であってギヤ１６寄りの位置にストッパ（止め輪）２２が取り付けられている。このストッパ２２とギヤ１６との間に付勢バネ（圧縮コイルスプリング）２３が配設されている。この付勢バネ２３は、同図に示す左方側の一端をストッパ２２により規制され、ギヤ１６をウォームシャフト１４側に付勢している。
【００３１】
なお、図２においては、ストッパ２２とギヤ１６との間に付勢バネ２３を配設し、ギヤ１６をウォームシャフト１４側に付勢する場合について示しているが、後述のように、本実施の形態においては、ギヤ１６を斜歯歯車で構成することにより、ピニオン８の回転方向に応じて噛合時に生じる斜歯歯車のはすじねじれ角度で作用するスラスト力によりギヤ１６をウォームシャフト１４から係脱するものである。このため、このギヤ１６をウォームシャフト１４側に付勢する付勢バネ２３及びこれを規制するストッパ２２は必ずしも必要ではない。
【００３２】
また、図２に示すように、ギヤ１６のウォームシャフト１４側の側面には、ウォームシャフト１４のギヤ１６側の側面に形成された凹部２４と係合する凸部２５が形成されている。凹部２４及び凸部２５の個数は任意であるが、本実施の形態においては、図３に示すように、それぞれ上下、左右に２個ずつ４個形成されている。なお、凹部２４と凸部２５とは、互いに対応する位置に形成されている。凸部２５が凹部２４に入り込んだ状態において、ギヤ１６の回転がウォームシャフト１４に伝達される一方、凸部２５と凹部２４とが離間した状態において、ギヤ１６の回転がウォームシャフト１４に伝達されないように構成されている。
【００３３】
このような構成を有する魚釣用スピニングリールにおいて、操作者がハンドル６を釣糸巻取り方向に回転させると、これに応じて駆動ギヤ７が図４に示す矢印Ａ方向に回転駆動する。駆動ギヤ７の回転駆動に応じてピニオン８が正転駆動すると、これに応じてギヤ１６が逆転駆動される。一方、魚による釣糸の繰り出しによりロータ３が逆転駆動されると、図５に示すように、これに応じてピニオン８が逆転駆動される。ピニオン８が逆転駆動すると、これに応じてギヤ１６が正転駆動される。
【００３４】
ここで、ピニオン８を構成する斜歯歯車と、ギヤ１６を構成する斜歯歯車との関係を図４及び図５を用いて説明する。なお、図４及び図５においては、ピニオン８及びギヤ１６における斜歯を簡易的に示している。具体的には、ピニオン８には、図４及び図５に示す左方下側（右方上側）を向いた斜歯が形成されている一方、ギヤ１６には、図４及び図５に示す右方下側（左方上側）を向いた斜歯が形成されている。
【００３５】
ピニオン８及びギヤ１６を、このような斜歯歯車で構成することで、図４に示すように、ピニオン８が正転駆動する一方、ギヤ１６が逆転駆動すると、ウォームシャフト１４の軸方向であって装置の後方側に斜歯歯車のはすじのねじれ角度によってスラスト力が生じることとなる。このスラスト力によりギヤ１６が装置の後方側に移動し、凸部２５が凹部２４に入り込む。これにより、ギヤ１６の回転駆動力がウォームシャフト１４に伝達される。この結果、摺動子１５が係合ピン１５ｂを介して前後方向に往復駆動し、これに応じてスプール４が前後方向に往復動することとなる。
【００３６】
一方、図５に示すように、ピニオン８が逆転駆動する一方、ギヤ１６が正転駆動すると、ウォームシャフト１４の軸方向であって装置の前方側に斜歯歯車のはすじのねじれ角度によってスラスト力が生じることとなる。このスラスト力によりギヤ１６が装置の前方側に移動し、凸部２５が凹部２４から離間する。これにより、ギヤ１６の回転駆動力がウォームシャフト１４に伝達されなくなる。この結果、ウォームシャフト１４が回転しないので、スプール４が前後方向に往復動することもない。
【００３７】
このように、本実施形態に係る魚釣用スピニングリールにおいては、釣糸をスプールから引き出す前記ロータの回転時に前記スプール軸が前後往復動しないように動力伝達経路を切断することで、前記スプール往復動機構における動力伝達経路を制御可能とする。具体的には、ピニオン８と噛合するギヤ１６を斜歯歯車で構成し、ピニオン８の回転方向に応じてギヤ１６をウォームシャフト１４に対して係脱可能としている。
【００３８】
これにより、釣糸をスプール４から引き出す方向のロータ３の逆転時における回転駆動力をウォームシャフト１４に伝達しないようにしているので、魚により釣糸が繰り出された場合でもウォームシャフト１４が回転することはない。このため、スプール４が前後往復動することもないので、従来、このスプール４の前後往復動に応じて発生していた振動を防止することが可能となる。この結果、この振動に起因して発生していた諸問題を全て解決することが可能となる。
【００３９】
すなわち、スプール４の前後往復動に応じて発生していた振動による操作者における不快感を除去することができるので、快適なロータ３の逆転による釣糸の繰り出し操作を行うことが可能となる。また、当該振動により釣糸を介して魚に違和感を与えるのを防止することができるので、この違和感により魚を暴れさせ、魚を取り逃がしたり釣糸を切断したりする事態を回避することができる。この結果、魚への影響を極力小さくすることができるので、釣果を向上させることが可能となる。さらに、当該振動によりリール本体１に締結されたネジが緩む事態を回避することができるので、リール本体１のメンテナンス等に要するコストや時間を低減することが可能となる。
【００４０】
また、ロータ３が逆回転した場合でもウォームシャフト１４が回転しないため、スプール往復動装置１３における螺旋溝１４ａと係合ピン１５ｂとが、従来のようにスプール４の前後往復動に応じて磨耗する事態を回避することができるので、当該スプール往復動装置１３の耐久性を向上させることが可能となる。さらに、ロータ３が逆回転した場合でもウォームシャフト１４が回転しないため、スプール４の前後往復動の方向転換時の抵抗発生によりロータ３の逆回転時におけるフリー性が劣化する事態を回避することができるので、快適に釣糸の繰り出し操作を行うことが可能となる。
【００４１】
さらに、上記実施形態においては、ギヤ１６をウォームシャフト１４に対して係脱可能としているので、確実にスプール往復動装置１３における動力伝達経路を切断することが可能となる。さらに、ギヤ１６を斜歯歯車で構成しているので、ギヤ１６とウォームシャフト１４との係脱を制御するための部材を用意することなく、簡単な構成でこれらの係脱を制御することが可能となる。
【００４２】
ところで、上記実施形態のように、釣糸をスプール４から引き出す方向のロータ３の逆転時における回転駆動力をウォームシャフト１４に伝達しないようにするためには、ピニオン８と噛合するギヤ１６とウォームシャフト１４との間に一方向クラッチを介在させることで実現することも可能である。しかし、このように、一方向クラッチを介在させた場合には、ロータ３の正転時の回転方向（一方向クラッチの回転許容方向）へのウォームシャフト１４の回転は規制されることがないため、例えば、釣竿を水平状態から引き起こした場合にスプール４の自重によりウォームシャフト１４が当該回転方向に空回りし、スプール４が操作者の意図と無関係に前方側から後方側に移動する事態が発生し得る。
【００４３】
このように操作者の意図と無関係にスプール４が移動する場合には、スプール４の巻回胴部４ａにおける糸巻き状態が悪化するなど、魚釣用スピニングリールにおける操作面に悪影響を及ぼし得るため、可能な限り除去することが望ましい。この点、上記実施の形態に係る魚釣用スピニングリールによれば、実際にロータ３が逆転した場合にのみギヤ１６の回転駆動力をウォームシャフト１４に伝達しないようにするため、上述のようにウォームシャフト１４がギヤ１６に対して空回りすることはない。この結果、かかるスプール４の自重による下方移動を規制する部材を用意することなく、当該自重によるスプール４の下方移動を確実に防止することが可能となる。
【００４４】
なお、上記実施形態では、一般的なオープンフェース型の魚釣用スピニングリールについて説明しているが、本発明は、ロータ３の逆転時にスプール４を前後往復動させないようにする必要があるリールであれば、クローズドフェース型のリールにも適用することが可能であり、上述した優れた効果を得ることが可能となる。
【００４５】
特に、魚による釣糸の繰り出しに応じて逆回転するロータ３に制動力を付与するロータ制動装置を備え、意図的にロータ３の逆回転をフリーに行わせる一方、操作者のロータ制動装置に対する操作により魚とのやり取りを可能とする、上述した従来技術の特許文献１（実公平１−２０８５８号公報）に開示された所謂レバーブレーキリールに適用する場合においては、上述した優れた効果に加え、更に顕著な効果を得ることが可能となる。
【００４６】
すなわち、レバーブレーキリールにおいては、釣糸を繰り出す量は操作者のロータ制動装置に対する操作に依存することとなるが、本発明を適用することでロータ３の逆転時に発生していた振動が除去されるので、ロータ制動装置に対する操作に集中することが可能となり、魚とのやり取りをより一層楽しみながら魚釣りを行うことが可能となる。
【００４７】
以上、本発明に係る魚釣用スピニングリールの実施形態について説明したが、本発明は、上記実施形態に限定されることなく、種々変形することが可能である。上記した実施形態においては、ウォームシャフト１４を使用したスプール往復動装置１３について示しているが、例えば、組み付けられるスピニングリールの構成に応じて、スプール往復動装置１３の構成については、適宜変形することが可能である。例えば、所謂ギヤオシレート方式のスプール往復動装置に適用することが可能である。
【００４８】
以下、図６及び図７を参照して本発明の第２の実施形態について説明する。なお、これらの図において、図６は、第２の実施形態に係る魚釣用スピニングリールの主要な構成を示す図であり、図７は、図６に示す連動ギヤ周辺の拡大断面図である。また、以下に説明する実施形態では、上記した第１の実施形態と同様の構成要素については、同一の参照符号を付し、その詳細な説明については省略する。また、以下の説明では、図７の左方側からみた状態で時計回り方向の回転を正転と呼び、反時計回り方向の回転を逆転と呼ぶものとする。
【００４９】
第２の実施形態において、リール本体１には、図６に示すように、スプール４（スプール軸１２）を前後動するスプール往復動装置３０が組み込まれている。このスプール往復動装置３０は、ハンドル軸５に一体回転可能に設けられた駆動ギヤ３１（ハンドル軸５に一体形成されているのが好ましい）と、リール本体１に回転可能に支持され、駆動ギヤ３１に噛合する連動ギヤ３２とを有している。なお、これらの駆動ギヤ３１及び連動ギヤ３２は、それぞれ斜歯歯車で構成されている。連動ギヤ３２は、駆動ギヤ３１の回転方向に応じて噛合時に生じるスラスト力によりハンドル軸５の軸方向に移動し、後述する制御体３３から係脱するように構成されている。
【００５０】
この連動ギヤ３２に対向する位置に、リール本体１に回転可能に支持される制御体３３が取り付けられている。制御体３３には、中心より偏芯した端部表面に係合突起３３ａが形成されており、この係合突起３３ａは、スプール軸１２の後端部にビス止めされた摺動子３４に形成された係合溝３５内に係合されている。この結果、ハンドル６の巻取り操作によって駆動ギヤ３１を介して連動ギヤ３２及び制御体３３が回転駆動されると、係合突起３３ａは、所定の回転軌跡を移動しながら係合溝３５内を案内される。これに伴って摺動子３５が前後往復動し、これに応じてスプール軸１２（スプール４）が前後往復動する。
【００５１】
図７に示すように、制御体３３は、リール本体１に取り付けられた軸部１ａに対して回転自在に取り付けられ、軸部１ａが取り付けられたリール本体１の部分との間に連動ギヤ３２を配設した状態で取り付けられている。第２の実施形態においては、上述のように、駆動ギヤ３１の回転方向に応じて噛合時に生じる斜歯歯車のはすじのねじれ角度によって作用するスラスト力により連動ギヤ３２をハンドル軸５の軸方向に移動可能とし、この連動ギヤ３２の制御体３３側の所定位置に形成された凸部３２ａと、制御体３３の連動ギヤ３２側の所定位置に形成された凹部３３ｂとの係合状態を切り替える。これにより、釣糸をスプール４から引き出す方向のロータ３の逆転時における回転駆動力を制御体３３に伝達しないようにする。
【００５２】
このような構成を有する魚釣用スピニングリールにおいて、操作者がハンドル６を釣糸巻取り方向に回転させると、これに応じて駆動ギヤ３１が逆転駆動する。駆動ギヤ３１が逆転駆動されると、これに応じて連動ギヤ３２が正転駆動する。一方、魚による釣糸の繰り出しによりロータ３が釣糸繰出し方向に回転すると、ピニオン８を介して駆動ギヤ７及び駆動ギヤ３１が正転駆動する。駆動ギヤ３１が正転駆動すると、これに応じて従動ギヤ３２が逆転駆動する。
【００５３】
図７に示すように、第２の実施形態に係る魚釣用スピニングリールにおいても、第１の実施形態に示すピニオン８及びギヤ１６と同様に、駆動ギヤ３１には、図７に示す左方下側（右方上側）を向いた斜歯が形成されている一方、連動ギヤ３２には、図７に示す右方下側（左方上側）を向いた斜歯が形成されている。
【００５４】
駆動ギヤ３１及び連動ギヤ３２を、このような斜歯歯車で構成することで、駆動ギヤ３１が逆転駆動する一方、連動ギヤ３２が正転駆動すると、ハンドル軸５の軸方向であって図７に示す装置の左方側にスラスト力が生じることとなる。このスラスト力により連動ギヤ１６が装置の左方側に移動し、凸部３２ａが制御体３３の凹部３３ｂに入り込む。これにより、駆動ギヤ３１の回転駆動力が制御体３３に伝達される。この結果、係合突起３３ａが係合溝３５内を所定の回転軌跡を移動しながら案内され、これに応じてスプール４が前後方向に往復動することとなる。
【００５５】
一方、駆動ギヤ３１が正転駆動する一方、連動ギヤ３２が逆転駆動すると（図６及び図７に示す矢印参照）、ハンドル軸５の軸方向であって図７に示す装置の右方側にスラスト力が生じることとなる。このスラスト力により連動ギヤ３２が装置の右方側に移動し、凸部３２ａが制御体３３の凹部３３ｂから離間する。これにより、駆動ギヤ３１の回転駆動力が制御体３３に伝達されなくなる。この結果、係合突起３３ａが係合溝３５内を所定の回転軌跡を移動しなくなるので、スプール４が前後方向に往復動することもない。
【００５６】
このように、本実施形態に係る魚釣用スピニングリールによれば、駆動ギヤ３１と噛合する連動ギヤ３２を斜歯歯車で構成し、駆動ギヤ３１の回転方向に応じて噛合時に生じるスラスト力で連動ギヤ３２を制御体３３に対して係脱可能とし、釣糸をスプール４から引き出す方向のロータ３の逆転時における回転駆動力を制御体３３に伝達しないようにしているので、魚により釣糸が繰り出された場合でも制御体３３が回転することはない。このため、スプール４が前後往復動することもないので、従来、このスプール４の前後往復動に応じて発生していた振動を防止することが可能となる。この結果、従来、この振動に起因して発生していた諸問題を全て解決することができ、第１の実施形態と同様の効果を得ることが可能となる。
【００５７】
さらに、上記実施形態においては、連動ギヤ３２を制御体３３に対して係脱可能としているので、確実にスプール往復動装置１３における動力伝達経路を切断することが可能となる。さらに、連動ギヤ３２を斜歯歯車で構成しているので、連動ギヤ３２と制御体３３との係脱を制御するための部材を用意することなく、簡単な構成でこれらの係脱を制御することが可能となる。
【００５８】
なお、斜歯歯車のねじれ角度や付勢バネ２３のバネ力を変更することで、スプール４が前後動しないロータ３の逆回転速度や巻取り負荷等の条件設定が可能となるので、多種多様な釣法に幅広く適用することができる。
【００５９】
また、上記した第１及び第２の実施形態においては、装置における駆動力の伝達経路上に斜歯歯車を配設し、この斜歯歯車の噛合により生じるスラスト力を利用して当該伝達経路上の部材を移動させ、駆動力の伝達の有無を切り替える実施形態について示しているが、駆動力の伝達経路上の部材を移動させる構成については、適宜変更が可能である。例えば、釣糸をスプールから引き出す方向のロータの回転時に、駆動力の伝達経路上の部材（第１の実施形態におけるギヤ１６や、第２の実施形態における制御体３３）と当接する当接部材を配設し、当該伝達経路上の部材を移動させるようにしても良い。
【００６０】
以下、図８及び図９を参照して本発明の第３の実施形態について説明する。なお、これらの図において、図８は、第３の実施形態に係る魚釣用スピニングリールの主要な構成を示す要部断面図であり、図９は、図８に示すＡ−Ａ線に沿った断面図である。なお、以下に説明する実施形態では、上記した第１の実施形態と同様の構成要素については、同一の参照符号を付し、その詳細な説明については省略する。また、以下の説明では、図８の左方側からみた状態で時計回り方向の回転を正転と呼び、反時計回り方向の回転を逆転と呼ぶものとする。ここでは、第１の実施形態の構成要素を用いて説明するが、第２の実施形態の構成要素に適用することも可能である。
【００６１】
図８に示すように、第３の実施形態に係る魚釣用スピニングリールにおいては、ピニオン８の筒軸(以下、「ピニオン筒軸」という)に取り付けられたフリクションプレート４１を有する点、ギヤ１６がフリクションプレート４１に形成された突出片４２と係合する係合壁面１６ａを有する点、並びに、リール本体１にフリクションプレート４１の回転を規制する回転規制部材４３が設けられている点で第１の実施形態に係る魚釣用スピニングリールと相違する。
【００６２】
図８に示すように、フリクションプレート４１は、ピニオン８よりも装置の前方側のピニオン筒軸の外周に回り止め嵌合された歯車８ａの前方側に取り付けられている。フリクションプレート４１は、その回転が規制されていない状態においてピニオン筒軸に伴って回転するが、その回転が規制されるとピニオン筒軸の回転に関わらず停止するようにピニオン筒軸に緩く回転方向に摩擦力が作用する程度に圧入されている。なお、図９に示すように、フリクションプレート４１の周面には、一定位置に切欠き部４１ａが形成されている。回転規制部材４３は、この切欠き部４１ａに対応するようにリール本体１に設けられている。回転規制部材４３は、フリクションプレート４１が一定位置まで回転すると、切欠き分４１ａの端部に当接し、その回転を規制するように構成されている。
【００６３】
突出片４２は、フリクションプレート４１の所定位置において装置の前方側に突出するように形成されている。図９に示すように、突出片４２は、フリクションプレート４１の側面からせり上がるように傾斜した傾斜面部４２ａと、この傾斜面４２ａに連設された平面部４２ｂとを有する。傾斜面部４２ａは、ギヤ１６が有する環状の係合壁面１６ａに摺接して前後方向に移動案内する役割を果たす。この突出片４２とフリクションプレート４１とが係脱切替部材として機能する。
【００６４】
一方、ギヤ１６が有する係合壁面１６ａは、ギヤ１６における歯車８ａとの噛合部分から装置の前方側に一定距離だけ離間した位置に形成されている。ギヤ１６の突出部２４がウォームシャフト１４の凹部２５に入り込んだ状態において、フリクションプレート４１が回転し、突出片４２が係合壁面１６ａ側に進入した場合に当該突出片４２と当接する位置に形成されている。
【００６５】
このような構成を有する魚釣用スピニングリールにおいて、操作者がハンドル６を釣糸巻取り方向に回転させると、これに応じてピニオン８が正転駆動され、フリクションプレート４１は図９に示す矢印Ａ方向に回転駆動する。図９に示す矢印Ａ方向に回転し、切欠き部４１ａの端部（図９に示す上端部）が回転規制部材４３に当接すると、フリクションプレート４１は、その回転を停止する（図９に示す状態）。このとき、突出片４２は、ギヤ１６の係合壁面１６ａから離間した位置に配置されているため、ギヤ１６の配置に影響を与えることはない。このため、ギヤ１６は、付勢バネ２３の付勢力により装置の後方側に移動し、凸部２５が凹部２４に入り込む。これにより、歯車８ａを介してギヤ１６の回転駆動力がウォームシャフト１４に伝達される。この結果、スプール４が前後方向に往復動することとなる。
【００６６】
一方、魚による釣糸の繰り出しによりロータ３が逆転駆動されると、これに応じてピニオン８が逆転駆動され、フリクションプレート４１は図９に示す矢印Ｂ方向に回転駆動する。図９に示す矢印Ｂ方向に回転し、切欠き部４１ａの端部（図９に示す下端部）が回転規制部材４３に当接すると、フリクションプレート４１は、その回転を停止する。このとき、突出片４２は、ギヤ１６の係合壁面１６ａに進入して摺接係合し、ギヤ１６を装置の前方側に退避させる（図８に２点鎖線で示す状態）。このため、ギヤ１６は、付勢バネ２３の付勢力に抗して装置の前方側に移動し、凸部２５が凹部２４から離間する。これにより、ギヤ１６の回転駆動力がウォームシャフト１４に伝達されなくなる。この結果、ウォームシャフト１４が回転しないので、スプール４が前後方向に往復動することもない。
【００６７】
このように、本実施形態に係る魚釣用スピニングリールによれば、ギヤ１６の係合壁面１６ａと当接する突出片４２を有するフリクションプレート４１を配設し、ギヤ１６を移動させる。これにより、ピニオン８の回転方向に応じてギヤ１６をウォームシャフト１４に対して係脱可能とし、釣糸をスプール４から引き出す方向のロータ３の逆転時における回転駆動力をウォームシャフト１４に伝達しないようにしているので、魚により釣糸が繰り出された場合でもウォームシャフト１４が回転することはない。このため、スプール４が前後往復動することもないので、従来、このスプール４の前後往復動に応じて発生していた振動を防止することが可能となる。この結果、従来、この振動に起因して発生していた諸問題を全て解決することができ、第１の実施形態と同様の効果を得ることが可能となる。
【００６８】
特に、上記実施の形態においては、釣糸をスプール４から引き出すロータ逆回転時にギヤ１６に当接して当該ギヤ１６をウォームシャフト１４から退避させる係脱切替部材としてのフリクションプレート４１等を具備したので、スプール往復動装置１３における動力伝達経路を平歯車で構成することが可能となる。このため、これらの係脱を制御するための斜歯歯車等を用いることなく、これらの係脱を制御することが可能となる。
【産業上の利用可能性】
【００６９】
本発明は、ロータの逆回転時に発生する振動に起因する諸問題を解決することができると共に、スプール往復動装置の耐久性、並びにロータ逆回転時におけるフリー性に優れた魚釣用スピニングリールを提供するものであり、産業上の利用可能性を有する。
【図面の簡単な説明】
【００７０】
【図１】本発明の第１の実施形態に係る魚釣用スピニングリールの全体的な構成を示す図。
【図２】スプール往復動装置のギヤ周辺の拡大図。
【図３】ギヤとウォームシャフトとの係合部を説明するための断面図。
【図４】ギヤとウォームシャフトとの係脱状態を説明するための図。
【図５】ギヤとウォームシャフトとの係脱状態を説明するための図。
【図６】本発明の第２の実施形態に係る魚釣用スピニングリールの主要な構成を示す図。
【図７】図６に示す連動ギヤ周辺の拡大断面図。
【図８】本発明の第３の実施形態に係る魚釣用スピニングリールの主要な構成を示す要部断面図。
【図９】図８に示すＡ−Ａ線に沿った断面図。
【符号の説明】
【００７１】
１  リール本体
３  ロータ
４  スプール
５  ハンドル軸
７  駆動ギヤ
１２  スプール軸
１３  スプール往復動装置
１４  ウォームシャフト
１５  摺動子
１６  ギヤ
１６ａ  係合壁面
２４  凹部
２５  凸部
３０  スプール往復動装置
３１  駆動ギヤ
３２  従動ギヤ
３２ａ  凸部
３３  制御体
３３ａ  係合突起
３３ｂ  凹部
３４  摺動子
３５  係合溝
４１  フリクションプレート
４２  突出片
４３  回転規制部材
【図１】
2007135408.tif 000003
【図２】
2007135408.tif 000004
【図３】
2007135408.tif 000005
【図４】
2007135408.tif 000006
【図５】
2007135408.tif 000007
【図６】
2007135408.tif 000008
【図７】
2007135408.tif 000009
【図８】
2007135408.tif 000010
【図９】
2007135408.tif 000011